(57)【特許請求の範囲】
【請求項１】
リール本体に回転可能に支持されたスプールと、
リール本体に装着され、上記スプールを巻取り駆動するスプールモータと、
リール本体に変位操作可能に装着されたモータ出力調節体と、
リール本体に装着され、モータ出力調節体の変位操作に応じてスプールモータのモータ出力を連続的に増減調節するモータ出力調節手段とを備えた魚釣用電動リールに於て、
上記モータ出力調節体をリール本体に移動操作可能に装着し、
当該モータ出力調節体と離間してその近傍に、スプールモータの起動，停止を行うＯＮ／ＯＦＦスイッチを、モータ出力調節体と分離して略同一方向へ移動操作可能に装着すると共に、
モータ出力調節体とＯＮ／ＯＦＦスイッチとの間に弾性部材を装着し、
当該弾性部材を介してモータ出力調節体とＯＮ／ＯＦＦスイッチを係脱可能としたことを特徴とする魚釣用電動リール。
【発明の詳細な説明】
【０００１】
【発明の属する技術分野】
本発明は、リール本体に回転自在に支持されたスプールを巻取り駆動するスプールモータを備えた魚釣用電動リールに関する。
【０００２】
【従来の技術】
船釣り等、一般に深場の魚層を対象とした魚釣りを行う場合、魚釣用電動リール（以下、「電動リール」という）が広く使用されている。
従来周知のように電動リールは、リール本体に装着したスプールモータの駆動でスプールを回転させて釣糸の巻取りを行うもので、釣果の向上を図るため、昨今では、特許第２９７７９７８号公報に開示されるようにスプールモータのモータ出力を連続的に増減調節可能とした電動リールが知られている。
【０００３】
この電動リールは、ハンドルが取り付くリール本体の一側部に、レバー形状のモータ出力調節体をハンドルの回転方向と同方向へ回転可能に装着すると共に、当該モータ出力調節体の操作に応じモータ出力を増減調節するポテンショメータ等のモータ出力調節手段をリール本体内に装着して、モータ出力を巻取り停止のＯＦＦ状態から最大値（０〜ＭＡＸ）まで連続的に調節可能としたもので、この電動リールによれば、モータ出力調節体の操作でモータ停止とモータ出力の増減調節の複合的な操作が容易且つ迅速に行えるため、釣場の状況に応じた円滑な魚釣り操作が可能となる。
【０００４】
しかし、この電動リールは、単一のモータ出力調節体にモータ出力の調節機能と、スプールモータの起動と停止、即ち、ＯＮ／ＯＦＦを行うＯＮ／ＯＦＦスイッチとしての機能を兼用させた構成であるため、例えば棚位置待機中に誤ってモータ出力調節体に触れて仕掛けを不用意に動かしてしまったり、巻取り操作中にモータ出力調節体に物が触れて好ましい設定速度が途中で変化してしまうなど、不用意な手や他の物との接触等によってスプールモータを誤動作させてしまう虞があった。
【０００５】
また、既述したように上記電動リールは、モータ出力調節体を回転操作することによってスプールモータをＯＮ／ＯＦＦに切換制御するように構成されているため、ＯＮからＯＦＦに切り換える際のＯＦＦ位置での遊びが必要となり、その遊び分だけモータ始動が遅くなる。このため、迅速なモータ駆動操作を行うことができないといった課題も残されていた。
【０００６】
そこで、斯かる不具合を解決するため、特開２００１−１６９６９９号公報には、図７及び図８に示すようにモータ出力調節体１とは別に、スプールモータをＯＮ／ＯＦＦに切り換える押しボタン式のＯＮ／ＯＦＦスイッチ３をモータ出力調節体１の近傍やモータ出力調節体１自体に装着した電動リール５，７が開示され、また、特開２００１−１２８５９８号公報には、図９及び図１０に示すようにリール本体９の一側板１１側に回転可能に装着したモータ出力調節体１３の近傍に、同じくレバー形状のＯＮ／ＯＦＦスイッチ１５をモータ出力調節体１３と同軸上に回転可能に装着して、これらを同時且つ別個に操作可能とした電動リール１７が開示されている。
【０００７】
【発明が解決しようとする課題】
しかし乍ら、図７及び図８の従来例にあっては、モータ出力調節体１の操作方向と異なる方向へのＯＮ／ＯＦＦスイッチ３の親指操作、或いは親指と人差し指によるモータ出力調節体１とＯＮ／ＯＦＦスイッチ３の複合操作でモータ出力調節とスプールモータのＯＮ／ＯＦＦ制御を行うため、実釣時にリールを保持し乍ら、自然な指の動きでこれらの操作を容易に行えない等の課題が残されている。
【０００８】
一方、図９及び図１０の従来例にあっては、モータ出力調節体１３とＯＮ／ＯＦＦスイッチ１５が同軸上に回転可能に配置されているため、モータ出力調節体１３とＯＮ／ＯＦＦスイッチ１５の操作が同一回転軌跡となって、モータ出力調節とＯＮ／ＯＦＦ切換え操作の夫々を独立して誤操作なく確実に行うことが難しいといった欠点が指摘されていた。
【０００９】
本発明は斯かる実情に鑑み案出されたもので、実釣時にモータ出力の増減調節とスプールモータのＯＮ／ＯＦＦ切換操作を同時に行えると共に、状況の変化に対応してこれらの操作を独立して迅速，容易且つ確実に行うことのできる電動リールを提供することを目的とする。
【００１０】
【課題を解決するための手段】
斯かる目的を達成するため、請求項１に係る発明は、リール本体に回転可能に支持されたスプールと、リール本体に装着され、当該スプールを巻取り駆動するスプールモータと、リール本体に変位操作可能に装着されたモータ出力調節体と、リール本体に装着され、モータ出力調節体の変位操作に応じてスプールモータのモータ出力を連続的に増減調節するモータ出力調節手段とを備えた電動リールに於て、上記モータ出力調節体をリール本体に移動操作可能に装着し、当該モータ出力調節体と離間してその近傍に、スプールモータの起動，停止を行うＯＮ／ＯＦＦスイッチを、モータ出力調節体と分離して略同一方向へ移動操作可能に装着すると共に、モータ出力調節体とＯＮ／ＯＦＦスイッチとの間に弾性部材を装着し、当該弾性部材を介してモータ出力調節体とＯＮ／ＯＦＦスイッチを係脱可能としたことを特徴とする。
【００１３】
（作用）
請求項１に係る発明によれば、モータ出力調節体の移動操作でスプールモータのモータ出力が増減調節され、また、この近傍に設けたＯＮ／ＯＦＦスイッチの移動操作でスプールモータが起動，停止する。
【００１４】
そして、モータ出力調節体とＯＮ／ＯＦＦスイッチが弾性部材を介して係脱可能な構造となっているため、両スイッチの係脱により、スプールモータのＯＮ／ＯＦＦの切換制御とモータ出力の増減調節の連続的な同時操作と分離操作をシングルアクションで行え、釣場の状況変化に応じた幅広い対応が可能となる。
【００１５】
【発明の実施の形態】
以下、本発明の実施形態を図面に基づき詳細に説明する。
図１乃至図４は請求項１に係る電動リールの第一実施形態を示し、図１に於て、２１はリール本体２３のフレーム、２５，２７は当該フレーム２１の左右に取り付く側板で、両側板２５，２７間にスプール軸を介してスプール２９が回転可能に支持されている。
【００１６】
スプール２９は、スプールモータ３１の駆動やハンドル３３の巻取り操作で回転して釣糸が巻回されるようになっており、スプールモータ３１はスプール２９前方のフレーム２１に一体成形されたモータケース内に収納されている。
そして、従来と同様、モータケース内にはスプールモータ３１のモータ軸３５の一端側に装着された遊星減速機構が、また、側板２５内には複数枚の歯車からなる動力伝達機構が当該遊星減速機構に連結して装着されており、遊星減速機構と動力伝達機構を介してスプールモータ３１の駆動力がスプール軸に伝達されるようになっている。
【００１７】
而して、スプール軸は、スプール２９の中央を貫通してその他端側が側板２７内に突出しており、その突出端側に、ハンドル３３の駆動力をスプール２９に伝達させる遊星減速機構やクラッチ機構，ドラグ装置等が装着されている。
そして、図１及び図２に示すように側板２７の側部後方には、クラッチ機構をＯＮ／ＯＦＦに切り換えるクラッチレバー３７が装着されており、当該クラッチレバー３７の操作でクラッチ機構がＯＮ／ＯＦＦされて、スプール２９へのスプールモータ３１やハンドル３３の駆動力が伝達，遮断されるようになっている。
【００１８】
一方、図１に示すようにスプール２９の一側面にはマグネット３９が装着されると共に、当該マグネット３９の回転軌跡に対向して一対のリードスイッチ４１がフレーム２１に装着されており、これらはスプール２９の回転方向と回転数を検出する回転数検出手段として機能する。そして、リードスイッチ４１は、リール本体２３上部の側板２５，２７間に装着した制御ボックス４３内の制御手段に接続されている。
【００１９】
制御手段はマイクロコンピュータからなり、当該制御手段のメモリには、特開平５−１０３５６７号公報で開示された電動リールと同様の糸長計測プログラムが組み込まれており、制御手段は、リードスイッチ４１から出力されるスプール２９の正転，逆転の判定信号をＣＰＵに取り込んで釣糸の繰出しか巻取りかを判定すると共に、リードスイッチ４１から取り込むスプール２９の回転パルス信号をアップ・ダウンカウンタでカウントして、このカウント値を基にメモリに記憶された糸長計算式をＣＰＵで演算実行して釣糸の繰出し量を計測するようになっている。そして、ＣＰＵは、制御ボックス４３の操作パネル４５上に設けた表示器４７にこの計測値を表示させる。
【００２０】
そして、ハンドル３３が取り付く側板２７の側部前方に、スプールモータ３１のモータ出力を増減調節するパワースイッチ（モータ出力調節体）４９と、スプールモータ３１を起動，停止させるＯＮ／ＯＦＦスイッチ５１が、リール本体２３の前後方向へ平行にスライド操作可能に取り付けられている。
即ち、図２及び図３に示すように側板２７の側部前方には、リール本体２３の前後方向へ矩形状のガイド窓５３が設けられており、当該ガイド窓５３はリール本体２３の前後方向へスライド可能な上下２枚のスライド式窓カバー５５，５７で閉塞されている。
【００２１】
そして、上側のスライド式窓カバー５５に、側板２７より外方へ突出する略立方体形状のパワースイッチ４９が図示しないステーを介して取り付き、また、下側のスライド式窓カバー５７に、同じくステーを介して側板２７外方へ突出する略立方体形状のＯＮ／ＯＦＦスイッチ５１が、対向するパワースイッチ４９と上下方向に離間してその近傍に装着されており、図３に示すように両スイッチ４９，５１は、夫々、リール本体２３の前後方向へ平行、即ち、同一方向にスライド操作できるようになっている。
【００２２】
また、図３に示すようにパワースイッチ４９の底面部５９には、当該パワースイッチ４９とＯＮ／ＯＦＦスイッチ５１を係脱させるゴム製の略球状の弾性部材６１が取り付けられており、普通の力でのスライド操作では、当該弾性部材６１の弾性摩擦力で両スイッチ４９，５１が一体となって連動するが、何れか一方のスイッチ４９，５１を勢いよく操作すると、両スイッチ４９，５１が離脱するように構成されている。
【００２３】
従って、図３に示すように例えば釣人が親指でパワースイッチ４９を普通の力で矢印Ａ方向（モータ出力増加方向）へスライド操作すると、弾性部材６１の弾性摩擦力でＯＮ／ＯＦＦスイッチ５１がこれと一体になって連動するが、図４に示すように例えばＯＮ／ＯＦＦスイッチ５１を勢いよくモータ停止方向（図中、矢印方向）へ操作すると、ＯＮ／ＯＦＦスイッチ５１がパワースイッチ４９から離脱する。
【００２４】
而して、パワースイッチ４９は、図７のモータ出力調節体１と同様、リール本体２３に内蔵された図示しないポテンショメータに連結されている。
そして、制御ボックス４３に内蔵された制御手段は、パワースイッチ４９の図３中、矢印Ａ方向への操作量に応じたパルス信号のデューティ比としてスプールモータ３１への電流通電時間率を可変制御して、スプールモータ３１のモータ出力を最低出力から最大出力まで連続的に駆動制御し、また、パワースイッチ４９の矢印Ｂ方向（モータ出力減少方向）への操作に伴い、スプールモータ３１への電流通電時間率を可変制御して、モータ出力を最大出力から最低出力まで連続的に駆動制御するようになっている。
【００２５】
尚、図３の実線で示す位置にパワースイッチ４９があるとき、スプールモータ３１のモータ出力は最低出力となり、二点鎖線で示す位置にパワースイッチ４９があるとき、スプールモータ３１のモータ出力は最大出力となるように設定されている。
また、図３の実線で示す位置にＯＮ／ＯＦＦスイッチ５１があるとき、外部電源からスプールモータ３１への電力供給が遮断されてスプールモータ３１が停止し、ＯＮ／ＯＦＦスイッチ５１が矢印Ａ方向に操作されると、スプールモータ３１が直ちに起動するようになっている。
【００２６】
その他、図２に於て、６３は給電コードである。
本実施形態に係る電動リール６５はこのように構成されているから、給電コード６３を外部電源に接続して電動リール６５が使用可能となる。
そして、クラッチレバー３７の操作でクラッチ機構をＯＦＦに切り換え、図３の実線で示す位置にパワースイッチ４９とＯＮ／ＯＦＦスイッチ５１を操作して、スプールモータ３１が停止した状態で仕掛けを繰り出せば、仕掛けの自重で釣糸がスプール２９から繰り出されることとなる。
【００２７】
而して、仕掛けの繰出しに伴い、釣糸の糸長が計測されて表示器４７に表示され、例えば仕掛けを水面から５０ｍ繰り出した処でクラッチレバー３７をクラッチＯＮに操作すれば、仕掛けの繰出しが停止する。
この後、魚の当たりが合った場合に、ハンドル３３の巻取り操作で釣糸がスプール２９に巻き取られ、また、図３に示すように釣人が親指でパワースイッチ４９を普通の力で矢印Ａ方向にスライド操作すれば、弾性部材６１の弾性摩擦力でＯＮ／ＯＦＦスイッチ５１がこれと連動して同方向にスライドするため、スプールモータ３１が直ちに起動して、パワースイッチ４９の操作量に応じたモータ出力でスプールモータ３１が駆動してスプール２９に釣糸が巻き取られ、釣人がパワースイッチ４９を普通の力で操作している間、弾性部材６１の弾性摩擦力でＯＮ／ＯＦＦスイッチ５１はパワースイッチ４９に連動する。
【００２８】
勿論、釣人がパワースイッチ４９とＯＮ／ＯＦＦスイッチ５１の双方を同時に指で矢印Ａ，Ｂ方向に操作すれば、両スイッチ４９，５１が同時に動くこととなる。
そして、この状態で釣糸を巻き取って魚を取り込む際に、釣人がパワースイッチ４９を普通の力で矢印Ｂ方向へスライド操作して図３の実線で示す位置に戻せば、弾性部材６１の弾性摩擦力でＯＮ／ＯＦＦスイッチ５１もパワースイッチ４９と共に図３の実線の位置に戻って、スプールモータ３１が停止するが、例えば図４に示すように弾性部材６１を介して両スイッチ４９，５１が実線の位置にあるとき、ＯＮ／ＯＦＦスイッチ５１を勢いよく矢印方向に操作すると、両スイッチ４９，５１が離脱し、そして、ＯＮ／ＯＦＦスイッチ５１を図４の二点鎖線で示すモータ停止位置に戻せばスプールモータ３１が停止する。そして、この状態でＯＮ／ＯＦＦスイッチ５１を矢印Ａ方向、即ち、スプールモータ３１の起動方向にスライド操作すれば、パワースイッチ４９の位置に応じたモータ出力でスプールモータ３１が再起動することとなる。
【００２９】
このように本実施形態は側板２７の側部前方に、対向するパワースイッチ４９とＯＮ／ＯＦＦスイッチ５１を上下方向に離間するように近接させて、リール本体２３の前後方向へ平行（同一方向）にスライド操作可能に離間分離する構成とすると共に、両スイッチ４９，５１間にこれらを係脱させる弾性部材６１を装着したので、スプールモータ３１のＯＮ／ＯＦＦの切換制御とモータ出力の増減調節の連続的な同時操作と分離操作をシングルアクションで容易に行え、釣場の状況変化に応じた幅広い対応が可能となった。
【００３０】
而も、本実施形態は、パワースイッチ４９とＯＮ／ＯＦＦスイッチ５１を近接させてこれらを同一方向にスライド操作可能としたため、図７及び図８の従来例に比し電動リール６５を保持し乍ら、自然な指の動きでこれらの同時操作と分離操作を容易に行え、また、図９の従来例の如くパワースイッチ４９とＯＮ／ＯＦＦスイッチ５１の操作方向が同一回転軌跡上にないため、モータ出力調節とＯＮ／ＯＦＦ切換え操作の夫々を独立して誤操作なく確実に行うことができる利点を有する。
【００３１】
尚、上記実施形態では、図２に示すように側板２７の側部前方に、対向するパワースイッチ４９とＯＮ／ＯＦＦスイッチ５１を上下方向に離間するように近接させてリール本体２３の前後方向へ平行にスライド操作可能に装着したが、図５に示す電動リール６５-1の如く側板２７の正面部に、パワースイッチ４９とＯＮ／ＯＦＦスイッチ５１をリール本体２３の前後方向へ平行にスライド操作可能に取り付けてもよいし、また、図６に示す電動リール６５-2のように、操作パネル４５上の表示器４７の下部にパワースイッチ４９とＯＮ／ＯＦＦスイッチ５１をリール本体２３の左右方向へ平行にスライド操作可能に装着してもよく、これらの請求項１に係る発明の第二，第三実施形態によっても、図１の実施形態と同様、所期の目的を達成することが可能である。
【００４１】
尚、上述した各実施形態は、パワースイッチとＯＮ／ＯＦＦスイッチを平行にスライド操作可能に設定したが、その操作方向は必ずしも同一方向に限定されるものではなく、スプールモータのＯＮ／ＯＦＦの切換制御とモータ出力の増減調節の連続的な同時操作と分離操作をシングルアクションで行えるならば、両スイッチの操作方向は略同一方向であってもよい。
【００４２】
また、パワースイッチとＯＮ／ＯＦＦスイッチは直線的な移動操作に止まらず、大きな弧を描くようにこれらを移動操作可能に設けてもよい。
【００４３】
【発明の効果】
以上述べたように、請求項１に係る発明によれば、電動リールを保持し乍ら、自然な指の動きでモータ出力調節体とＯＮ／ＯＦＦスイッチの同時操作と分離操作を容易に行え、モータ出力調節とＯＮ／ＯＦＦ切換え操作の夫々を独立して誤操作なく確実に行うことができる利点を有する。
【００４４】
そして、スプールモータのＯＮ／ＯＦＦの切換制御とモータ出力の増減調節の連続的な同時操作と分離操作をシングルアクションで容易に行えるため、釣場の状況変化に応じた幅広い対応が可能となった。
【図面の簡単な説明】
【図１】  請求項１の第一実施形態に係る電動リールの平面図である。
【図２】  図１に示す電動リールの側面図である。
【図３】  パワースイッチとＯＮ／ＯＦＦスイッチの動作説明図である。
【図４】  パワースイッチとＯＮ／ＯＦＦスイッチの動作説明図である。
【図５】  請求項１の第二実施形態に係る電動リールの平面図である。
【図６】  請求項１の第三実施形態に係る電動リールの平面図である。
【図７】  従来の電動リールの要部拡大平面図である。
【図８】  従来の電動リールの要部拡大平面図である。
【図９】  従来の他の電動リールの平面図である。
【図１０】  図９に示す電動リールの側面図である。
【符号の説明】
２３  リール本体
２９  スプール
３１  スプールモータ
４９  パワースイッチ
５１，７１  ＯＮ／ＯＦＦスイッチ
５３  ガイド窓
５５，５７  スライド式窓カバー
６１  弾性部材
６５，６５-1，６５-2  電動リール
【図１】
0003809093.tif 000002
【図２】
0003809093.tif 000003
【図３】
0003809093.tif 000004
【図４】
0003809093.tif 000005
【図５】
0003809093.tif 000006
【図６】
0003809093.tif 000007
【図７】
0003809093.tif 000008
【図８】
0003809093.tif 000009
【図９】
0003809093.tif 000010
【図１０】
0003809093.tif 000011